(57)【要約】  簡単な構造で電池セルの熱暴走の連鎖を効果的に阻止するために、電源装置は、角形である複数の電池セル（１）と、複数の電池セル（１）を積層状態に固定している固定部材と、電池セル（１）の積層面（１１Ａ）に挟まれて隣接する電池セル（１）間を断熱してなる断熱シート（２）とを備えており、断熱シート（２）を、無機繊維が立体的に方向性なく集合されて無機繊維の間に微細な空隙を設けてなる無機繊維シート（２Ｘ）としている。
2019187313.tif 000002
【特許請求の範囲】
【請求項１】
角形である複数の電池セルと、
複数の前記電池セルを積層状態に固定している固定部材と、
前記電池セルの積層面に挟まれて隣接する電池セル間を断熱してなる断熱シートとを備える電源装置であって、
前記断熱シートが、
無機繊維が立体的に方向性なく集合されて前記無機繊維の間に微細な空隙を設けてなる無機繊維シートであることを特徴とする電源装置。
【請求項２】
請求項１に記載される電源装置であって、
前記断熱シートが、無機繊維の隙間に熱可塑性樹脂を含む無機繊維シートであることを特徴とする電源装置。
【請求項３】
請求項１または２に記載される電源装置であって、
前記断熱シートが、無機繊維の隙間に無機粒子が充填されてなる無機繊維シートであることを特徴とする電源装置。
【請求項４】
請求項３に記載される電源装置であって、
前記無機粒子が、無機中空粒子又は無機発泡粒子であることを特徴とする電源装置。
【請求項５】
請求項１ないし４のいずれかに記載する電源装置であって、
前記断熱シートが、無機繊維シートの表面に保護シートを積層してなる積層シートであることを特徴とする電源装置。
【請求項６】
請求項５に記載される電源装置であって、
前記保護シートが熱可塑性樹脂であることを特徴とする電源装置。
【請求項７】
請求項５に記載される電源装置であって、
前記保護シートがプラスチックシート、織布、あるいは不織布であることを特徴とする電源装置。
【請求項８】
請求項５ないし７のいずれかに記載する電源装置であって、
前記保護シートが両面接着テープを介して前記電池セルの積層面に接着されてなることを特徴とする電源装置。
【請求項９】
請求項１ないし８のいずれかに記載の電源装置を備える電動車両であって、
前記電源装置と、該電源装置から電力供給される走行用のモータと、該電源装置及び前記モータを搭載してなる車両本体と、該モータで駆動されて前記車両本体を走行させる車輪とを備えることを特徴とする電源装置を備える電動車両。
【請求項１０】
請求項１ないし８のいずれかに記載の電源装置を備える蓄電装置であって、
前記電源装置と、該電源装置への充放電を制御する電源コントローラとを備えており、
前記電源コントローラでもって、外部からの電力により前記電池セルへの充電を可能とすると共に、該電池セルに対し充電を行うよう制御することを特徴とする蓄電装置。
【発明の詳細な説明】
【技術分野】
【０００１】
本発明は、複数の電池セルを積層した電源装置に関し、特にハイブリッド自動車、燃料電池自動車、電気自動車、電動オートバイ等の電動車両に搭載されて車両を走行させるモータの電源装置、あるいは家庭用、工場用の蓄電用途等に使用される大電流用の電源装置と、この電源装置を備える電動車両及び蓄電装置に関する。
【背景技術】
【０００２】
大出力が要求される電源装置は、多数の電池を直列や並列に接続している。たとえば、モータで走行する電気自動車、あるいはモータとエンジンの両方で走行するハイブリッド自動車等の自動車、自然エネルギーで充電される蓄電装置、停電のバックアップ電源に使用される電源装置等は、複数の電池セルを積層して電池ブロックとしている。電池ブロックは、電池セルを絶縁して積層している。直列に接続される電池セルに電位差が発生するからである。電池セルを絶縁するために、電池セルを絶縁フィルムで被覆し、さらに電池セルの間に絶縁セパレータを配置している。（特許文献１参照）【０００３】
この電源装置は、電池セルを絶縁フィルムで被覆して、隣接する電池セルを絶縁し、さらに、電池間に絶縁セパレータを配置して絶縁している。この構造の電源装置は、電池セル間を絶縁できるが、電池セル間を効果的に断熱できない欠点がある。多数の電池セルを積層している電源装置において、電池セル間の絶縁特性に加えて断熱特性は極めて大切である。とくに、近年、電池セルの高容量化が進み、電池セルの持つエネルギー量が増加することから、熱暴走の連鎖を防止する技術の重要性が高まっている。
【先行技術文献】
【特許文献】
【０００４】
【特許文献１】特開２０１３−３３６６８号公報
【発明の概要】
【発明が解決しようとする課題】
【０００５】
本発明は、従来のこのような課題を解決するためになされたものであって、その目的の一つは、簡単な構造で電池セルの熱暴走の連鎖を効果的に阻止できる技術を提供することにある。
【課題を解決するための手段及び発明の効果】
【０００６】
本発明のある態様の電源装置は、角形である複数の電池セルと、複数の前記電池セルを積層状態に固定している固定部材と、前記電池セルの積層面に挟まれて隣接する電池セル間を断熱してなる断熱シートとを備える電源装置であって、前記断熱シートが、無機繊維が立体的に方向性なく集合されて前記無機繊維の間に微細な空隙を設けてなる無機繊維シートであることを特徴とする。
【０００７】
さらに、以上の態様の構成要素を備えた電源装置を備える電動車両は、前記電源装置と、該電源装置から電力供給される走行用のモータと、該電源装置及び前記モータを搭載してなる車両本体と、該モータで駆動されて前記車両本体を走行させる車輪とを備えている。
【０００８】
さらに、以上の態様の構成要素を備えた電源装置を備える蓄電装置は、前記電源装置と、該電源装置への充放電を制御する電源コントローラを備え、前記電源コントローラが外部からの電力による前記角形電池セルへの充電を可能とすると共に、該電池セルに対し充電を行うよう制御している。
【発明の効果】
【０００９】
本発明の電源装置は、簡単な構造で電池セルの熱暴走の連鎖を効果的に阻止できる特徴がある。それは、以上の電源装置が、電池セルの間に積層している断熱シートを、無機繊維を立体的に方向性なく集合して無機繊維の間に微細な空隙を設けてなる無機繊維シートとして、電池セル間の断熱特性を著しく向上し、熱暴走して発熱する電池セルの熱エネルギーを有効に遮断して、隣接する電池セルへの熱エネルギーの伝導を遮断するからである。とくに、本発明の電源装置は、極めて優れた耐熱特性のある無機繊維を立体的に方向性なく集合して、無機繊維の間には無数の空隙を設けて、無機繊維による断熱性に加えて、繊維の間に無数の空隙を設けて空気層に匹敵する耐熱特性を実現するからである。さらに、以上の電源装置は、無機繊維を立体的に集合して繊維の間に微細な空隙を設けて空気層を設けているので、何れかの電池セルが熱暴走して、例えば４００℃を越える異常な高温に加熱される状態においても、極めて優れた耐熱特性の無機繊維によって空隙が維持されて電池セル間を効果的に断熱して熱暴走の連鎖を確実に阻止できる特徴を実現する。とくに、無機繊維シートを立体的に方向性なく集合している無機繊維シートは、内部には繊維間に微細な空隙があって熱伝導率が小さく、さらに耐熱特性に優れた無機繊維は軟化したり、溶融することがないので、優れた耐圧縮強度を有し、何れかの電池セルが熱暴走して高温に加熱され、さらに電池セルが膨張して断熱シートを加圧する状態においても優れた断熱特性が失われず、熱暴走した電池セルの熱エネルギーが隣の電池セルに伝導するのを極めて有効に遮断して、熱暴走の誘発を効果的に阻止するという、電源装置において極めて大切な特性を実現する。
【図面の簡単な説明】
【００１０】
【図１】本発明の一実施の形態にかかる電源装置の斜視図である。
【図２】図１の電源装置の分解斜視図である。
【図３】電池セルと断熱シートの積層構造を示す分解斜視図である。
【図４】断熱シートの他の一例を示す分解斜視図である。
【図５】断熱シートの他の一例を示す分解斜視図である。
【図６】断熱シートの他の一例を示す分解斜視図である。
【図７】断熱シートの他の一例を示す展開図である。
【図８】図７に示す断熱シートを電池セルを被覆する工程を示す斜視図である。
【図９】図７に示す断熱シートで電池セルを被覆する工程を示す斜視図である。
【図１０】エンジンとモータで走行するハイブリッドカーに電源装置を搭載する例を示すブロック図である。
【図１１】モータのみで走行する電気自動車に電源装置を搭載する例を示すブロック図である。
【図１２】蓄電装置に電源装置を使用する例を示すブロック図である。
【発明を実施するための形態】
【００１１】
本発明のある態様の電源装置は、以下の構成により特定されてもよい。電源装置は、角形である複数の電池セル１と、複数の電池セル１を積層状態に固定している固定部材６と、電池セル１の積層面１１Ａに挟まれて隣接する電池セル１を断熱してなる断熱シート２とを備えており、断熱シート２を、無機繊維を立体的に方向性なく集合して無機繊維の間に微細な空隙を設けている無機繊維シート２Ｘとしている。
【００１２】
断熱シート２は、無機繊維の隙間に熱可塑性樹脂を含む無機繊維シート２Ｘとしてもよい。以上の電源装置は、断熱シートの無機繊維シートが熱可塑性樹脂を含むので、電池セルが熱暴走して発熱すると、電池の発熱温度が熱可塑性樹脂の融点よりも高くなって熱可塑性樹脂を融解する。融解された熱可塑性樹脂は融解熱を吸収して断熱シートの実質的な耐熱特性を改善する。解熱熱による熱エネルギーの吸熱は、優れた断熱特性を示す無機繊維シートの断性をさらに向上して、熱暴走の誘発をさらに効果的に防止する。
【００１３】
断熱シート２は、無機繊維の隙間に無機粒子を充填してなる無機繊維シート２Ｘとしてもよい。以上の電源装置は、無機繊維の隙間に充填している無機粒子によって圧縮強度が向上するので、電池セルが熱暴走して膨張する状態においても優れた断熱特性を維持して熱暴走の誘発を防止できる特徴がある。それは、無機繊維の隙間に充填している無機粒子が繊維の隙間を確保して、微細な空気が押し潰されるのを防止するからである。この特性は熱暴走の誘発に特に大切である。それは、熱暴走した電池セルが膨張して断熱シートを強く加圧するので、この状態で押し潰されると空隙の空気量が減少して断熱特性が低下するからである。
【００１４】
無機粒子は、無機中空粒子又は無機発泡粒子としてもよい。以上の電源装置は、無機繊維の隙間に充填している無機中空粒子や無機発泡粒子によって圧縮強度が向上するので、熱暴走して膨張した電池セルに加圧されて断熱特性が低下するのを防止できることに加えて、さらに無機粒子が中空あるいは発泡状態にあるので、さらに無機粒子自体が含有する空気によって断熱特性が向上して、熱暴走の誘発をさらに有効に防止できる特徴がある。
【００１５】
断熱シート２は、無機繊維シート２Ｘの表面に保護シート４を積層してなる積層シート５としてもよい。以上の電源装置は、表面に保護シートを積層しているので、保護シートによって、繊維を集合したシートよりも表面を滑らかな層にできるので、保護シートを介して断熱シートを電池セルの表面に確実に付着して、電池セルとの相対的な位置ずれを防止できる。とくに、両面に保護シートを積層することで、無機繊維や無機粒子などの脱落を防止できる特徴も実現する。
【００１６】
保護シート４は、熱可塑性樹脂としてもよい。以上の電源装置は、表面に熱可塑性樹脂の保護シートを積層しているので、保護シートで表面を平滑面にできることに加えて、熱暴走した電池セルの発熱で熱可塑性樹脂の保護シートを融解し、その融解熱で電池セルの熱エネルギーを吸収して実質的な耐熱特性を改善できる。したがって、断熱シートが特に優れた断熱特性を実現して、電池の熱暴走の誘発をさらに効果的に防止する。
【００１７】
保護シート４は、プラスチックシート、織布、あるいは不織布としてもよい。また、保護シート４は、両面接着テープ３を介して電池セル１の積層面１１Ａに接着してもよい。なお、本明細書において接着は粘着を含む広い意味に使用する。
【００１８】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１９】
本発明の実施の形態に係る電源装置を図１〜図３に示す。これらの図において、図１は電源装置の斜視図、図２は図１の電源装置の分解斜視図、図３は電池セルと断熱シートの積層構造を示す分解斜視図をそれぞれ示している。この電源装置１００は、主としてハイブリッド自動車や電気自動車等の電動車両に搭載されて、車両の走行モータに電力を供給して、車両を走行させる電源に使用される。ただ、本発明の電源装置は、ハイブリッド自動車や電気自動車以外の電動車両に使用でき、また電動車両以外の大出力が要求される用途、例えば蓄電装置用の電源としても使用できる。
【００２０】
図１〜図３に示す電源装置１００は、角形である複数の電池セル１と、複数の電池セル１を積層してなる電池積層体９を積層状態に固定している固定部材６と、電池セル１の積層面１１Ａに挟まれて隣接する電池セル１を断熱してなる断熱シート２とを備えている。図に示す電源装置１００は、隣接する電池セル１を断熱シート２を介して積層して電池積層体９とし、この電池積層体９を固定部材６で締結して電池ブロック１０としている。電源装置１００は、図示しないが、電池ブロック１０を冷却プレートの上に載せて、各電池セル１を冷却プレートで強制冷却することができる。
【００２１】
（電池セル１）
電池セル１は、図３に示すように、その外形を構成する外装ケース１１を、厚さに比べて幅が広い、言い換えると幅よりも薄い角形としている。角形の電池セル１は、外装ケース１１を、有底の外装缶１１ｘの開口部を封口板１１ａで閉塞している。ここで、外装ケース１１の外形を角形とする電池セル１は、有底の外装缶１１ｘの底側の面となる底面１１Ｄと、互いに積層される電池セル１同士の対向面となる、幅方向に広がる積層面１１Ａと、電池積層体９の両側面を構成する面となる、電池セル１の厚さ方向に広がる側面１１Ｂと、外装缶１１ｘの開口部を閉塞する封口板１１ａで構成される面となる天面１１Ｃとを備えている。角形の電池セル１は、複数個が厚さ方向に積層されて電池積層体９を構成している。
なお、本明細書において、電池セル１の上下方向は、図面で示す方向、すなわち、外装缶１１ｘの底側を下方向、封口板１１ａ側を上方向とする。
【００２２】
電池セル１は、リチウムイオン電池である。ただし、電池セル１は、ニッケル水素電池、ニッケルカドミウム電池等の充電可能な二次電池とすることもできる。電池セル１にリチウムイオン二次電池を使用する電源装置は、電池セル全体の体積や質量に対する充電容量を大きくできる特長がある。
【００２３】
さらに、電池セル１は、外装缶１１ｘを閉塞する封口板１１ａの両端部に正負の電極端子１１ｂを設けると共に、一対の電極端子１１ｂの間に安全弁１１ｃを設けている。安全弁１１ｃは、外装缶１１ｘの内圧が所定値以上に上昇した際に開弁して、内部のガスを放出できるように構成される。この電池セル１は、安全弁１１ｃの開弁により、外装缶１１ｘの内圧上昇を停止することができる。
【００２４】
ここで、電池セル１は、外装缶を金属製としている。このため、隣接する電池セル１の外装缶同士が接触してショートするのを防止するために、各電池セル１の積層面１１Ａの間には絶縁性を有する断熱シート２を介在させている。このように、絶縁性を有する断熱シート２で断熱して積層される電池セル１は、外装缶をアルミニウムなどの金属製にできる。
【００２５】
（固定部材６）
複数の電池セル１を積層してなる電池積層体９は、固定部材６を介して積層方向に締結して電池ブロック１０としている。図１の電池ブロック１０の例では、１８個の電池セル１を積層している。固定部材６は、電池積層体９を、両端面から挟着する一対のエンドプレート７と、このエンドプレート７を連結するバインドバー８とを備える。電池積層体９は、図２の分解斜視図に示すように、隣接する電池セル１の積層面１１Ａの間に断熱シート２を挟んで積層している。ただ、固定部材は、必ずしもエンドプレート７とバインドバー８とに特定しない。固定部材は、電池積層体を積層方向に締結できる他の全ての構造が使用できる。
【００２６】
（エンドプレート７）
エンドプレート７は、図２に示すように、電池ブロック１０の両端であって、エンドセパレータ１４の外側に配置されている。エンドプレート７は、電池セル１の外形とほぼ同じ形状と寸法の四角形として、積層している電池積層体９を両端面から挟着している。エンドプレート７は、全体を金属で製作している。金属製のエンドプレート７は、優れた強度と耐久性を実現できる。電池ブロック１０の両端に配置される一対のエンドプレート７は、図１と図２に示すように、電池積層体９の両側面に配置される一対のバインドバー８を介して締結される。
【００２７】
（バインドバー８）
バインドバー８は、電池積層体９の両端面に配置されたエンドプレート７に固定されて、このエンドプレート７を介して電池積層体９を積層方向に締結する。バインドバー８は、電池積層体９の表面に沿う所定の幅と所定の厚さを有する金属板である。このバインドバー８には、鉄などの金属板、好ましくは、鋼板が使用できる。金属板からなるバインドバー８は、図１と図２に示すように、電池積層体９の側面に沿って配置されて、両端が一対のエンドプレート７に固定されて、電池積層体９を積層方向に締結する。
【００２８】
（断熱シート２）
断熱シート２は、図２及び図３に示すように、電池セル１の積層面１１Ａに挟まれて隣接する電池セル１を断熱する。断熱シート２は、無機繊維を立体的に方向性なく集合して、無機繊維の間には微細な空隙を設けている無機繊維シート２Ｘである。無機繊維は、無機物からなる繊維であって断熱特性に優れた繊維が使用される。無機繊維は、たとえば、ケイ酸マグネシウム（セピオライト）、ロックウール、セラミック繊維、ガラス繊維、チタン酸カリウム繊維、ケイ酸カルシウム等が単一であるいは複数の繊維を混合して使用される。ケイ酸マグネシウム（セピオライト）は、成分をタルクと同じケイ酸マグネシウムとするが、タルクとは分子構造が異なってミクロの微細な孔があって優れた断熱特性を示し、また、表面には、叩解されたパルプのように無数の微細な繊維があるので、バインダーを使用することなく湿式抄紙してシート状にできるので、無機繊維として適している。また、ロックウールは、主成分が二酸化ケイ素と酸化カルシウムで優れた断熱性と断熱特性を示す不燃材で、しかも安価に多量生産しているので原料コストを低減できる。
【００２９】
断熱シート２は、湿式抄紙法で、無機繊維を立体的に方向性なく集合してシート状の無機繊維シート２Ｘとする。断熱シート２は、好ましくは、無機繊維に熱可塑性樹脂や無機粒子等を添加して製造される。無機繊維シート２Ｘに添加される熱可塑性樹脂は、耐熱温度を２００℃以上とするプラスチックが使用できるが、耐熱温度の高いアラミド樹脂が適しており、その他のほとんどの熱可塑性樹脂も使用できる。熱暴走した電池セルは４００℃以上の高温に発熱するので、無機繊維シート２Ｘに添加されたほとんどの熱可塑性樹脂を融解し、融解熱で断熱シート２を強制冷却する。無機繊維シート２Ｘに添加された熱可塑性樹脂は、熱暴走して異常な高温に発熱した電池セル１で溶融され、溶融熱で強制冷却して断熱シート２の断熱特性を向上するので、添加量を多くして溶融熱による冷却効果を高くできるが、添加量が多くなると無機繊維シート２Ｘの空隙率が低下して空気による断熱特性が低下するので、熱可塑性樹脂の添加量は３０重量％以下、好ましくは２０重量％以下、さらに好ましくは約１０重量％とする。
【００３０】
無機繊維シート２Ｘに添加される無機粒子には、シリカやアルミナなどの無機質材の粒子などを使用できるが、好ましくはシラスバルーンなどの無機中空粒子や、無機発泡を粒状に破砕した微粒子が適している。無機中空粒子にシラスバルーンなどの多孔質シリカ粒子を使用して無機中空粒子を無機繊維の隙間に充填してなる断熱シート２は、とくに優れた断熱特性を実現する。この断熱シート２は、粒径を数μｍ〜数百μｍとするシラスバルーンを多孔質シリカ粒子に使用する。シラスバルーンは、シリカ（ＳｉＯ２）を主成分とするシラスを１０００℃で急速加熱して発泡させて製造されることから、極めて優れた耐熱性があり、さらに、気泡を抱いた微細な粒子であって、熱伝導率を約０．０６〜０．０８Ｗ／ｍｋとする優れた断熱特性を示す。このことから、シラスバルーンを含有する断熱シート２も、含有するシラスバルーンの優れた耐熱性によって、電池セル１が高温に加熱される状態にあっても優れた断熱特性を維持し、さらに、熱暴走して高温に発熱する電池セル１の熱エネルギーを効果的に遮断して、隣接する電池セル１の熱暴走の誘発を効果的に阻止する。断熱シート２は、無機繊維を立体的に集合している多孔質基材の隙間に多孔質シリカ粒子を充填して製作される。無機繊維シート２Ｘは、無機中空粒子等を添加して断熱特性を改善できるが、多すぎると強度が低下するので、添加量は、たとえば３０重量％以下、好ましくは２０重量％以下、さらに好ましくは約１０重量％以下とする。
【００３１】
熱可塑性樹脂や無機粒子は、湿式抄紙法で無機繊維シート２Ｘを製造する工程で抄紙スラリーに添加される。熱可塑性樹脂は抄紙用スラリーに繊維の状態で添加される。繊維の状態で抄紙用スラリーに添加され熱可塑性樹脂は、湿式抄紙されてシート状に加工された後、加熱・加圧されて溶融して無機繊維を交点で結合することができる。
【００３２】
無機繊維シート２Ｘは、湿式抄紙法で製造されて無機繊維を立体的に方向性なく集合し、繊維の隙間に無機粒子等の添加物を充填してシート状に加工される。抄紙用スラリーは、無機繊維と添加物などを液中に均一に分散し、その後、スクリーン（異物、塊等除去）等の工程を通り、最終の濃度を０．０１〜０．５質量％に調整する。無機繊維に添加物を懸濁している抄紙用スラリーは、湿式抄紙されてシート状に加工した後、乾燥し、その後、熱プレスして所定の厚さとして無機繊維シート２Ｘとする。
【００３３】
湿式抄紙した後、熱プレスしてシート状に製造された無機繊維シート２Ｘは、好ましくは表面に保護シート４を積層して使用される。保護シート４は熱可塑性樹脂からなるプラスチックシート、あるいは織布や不織布が使用されるが、好ましくはプラスチックシートが使用される。保護シート４は、接着剤を介して無機繊維シート２Ｘの表面に接着される。ただし、熱可塑性樹脂を添加して湿式抄紙して製造された無機繊維シート２Ｘは、表面に熱可塑性樹脂製のプラスチックシートや織布あるいは不織布を積層し、両面から加熱・加圧して保護シート４を無機繊維シート２Ｘに熱溶着することもできる。
【００３４】
表面に保護シート４を接合している断熱シート２は、保護シート４で無機繊維シート２Ｘの表面を補強できる。したがって、無機繊維を結合する熱可塑性樹脂を添加することなく湿式抄紙して無機繊維シート２Ｘを製造し、この無機繊維シート２Ｘの表面に保護シート４を接着して充分な強度の断熱シート２にできる。また、無機繊維の隙間に、無機粒子や粒状熱可塑性樹脂等を添加している無機繊維シート２Ｘにあっては、バインダーを使用することなく、あるいはバインダーの使用量を少なくして製造し、その表面に保護シート４を接着して無機粒子等の添加物が外部に漏れるのを防止できる。ただ、熱可塑性樹脂で無機繊維の交点を結合して無機繊維シート２Ｘを製造し、この無機繊維シート２Ｘの表面に保護シート４を接着してより強靭な断熱シート２にできる。
【００３５】
図３に示す断熱シート２は、無機繊維シート２Ｘの両面に保護シート４を積層して接着している積層シート５である。保護シート４は、熱可塑性樹脂のプラスチックシートや織布又は不織布である。この断熱シート２は、両面に接着している保護シート４によって、無機中空粒子の漏れを防止できることに加えて、保護シート４を両面接着テープ３などで電池セル１の積層面１１Ａに接着して、電池セル１に密着できる。保護シート４は、両面接着テープ３によらず、接着剤や粘着剤を介して電池セル１の積層面１１Ａに接着することもできる。
【００３６】
無機繊維シート２Ｘの両面に保護シート４を接着して、保護シート４を隣接する電池セル１の積層面１１Ａに接着している電池ブロック１０は、断熱シート２を介して隣接する電池セル１の相対的な位置ずれ、すなわち電池セル１の変位を抑制して、電池ブロック１０としての剛性を向上できる。とくに、無機繊維の交点を熱可塑性樹脂で結合していない無機繊維シート２Ｘは、充分な強度にできず、脆性の大きい物質であるため、電池セル１の変位を規制するのが難しいが、両面に保護シート４を接着してこの弊害を防止できる。
【００３７】
剛性が低くて平面状に保持する保形性が弱い断熱シート２は、電池セル１の間に挟んで使用すると、位置ずれしたり、皺がよったりするおそれがあって、作業性が著しく低下する問題があるが、この断熱シート２は、無機繊維シート２Ｘの表面に積層、接着する保護シート４を、無機繊維シート２Ｘよりも剛性の高い形状維持性のある保形シートとして問題を解消できる。保形シートを無機繊維シートの表面に接着している断熱シートは、保形力を高くして、保形シートを電池セルの積層面に貼り付けて組み付けして、電池ブロックの剛性を高くできる。また、電池セルに断熱シートを貼り付けてから組み付けることで、複数の電池セルを集合化して電池ブロックとする際に、断熱シートが電池セルに対して位置ずれしたり、皺がよったりすることを防止できる。また、断熱シート２は、無機繊維シートよりも剛性の高い形状維持性の保形シートを積層して積層シートとすることで、断熱シートの断熱性能を損なうことなく、剛性を高めることができるので、作業性をさらに向上させることができる。
【００３８】
保形シートには、たとえば熱可塑性樹脂のプラスチックシートを使用する。プラスチックシートは厚さで保形性を調整できるので、保形シートには、たとえば、厚さを０．１ｍｍとする硬質プラスチックシートを使用する。断熱シート２は、無機繊維シート２Ｘの両面に保形シートを接着して保形性をより高くできる。ただ、保形シートは、無機繊維シート２Ｘの片側面にのみ接着することもできる。
【００３９】
また、保形シートは、必ずしも無機繊維シートよりも剛性の高い形状維持性を有していなくてもよい。上記実施形態における保形シートは、無機繊維シート２Ｘの表面を平らにする役割も有している。無機繊維シート単体では、吸引型の自動機を使用する場合は吸着させることが困難であるが、保形シートにより表面の平滑性を向上させることで、吸引型の自動機を使用することが可能となる。また、保形シートを備えることで、無機繊維シート２Ｘの紙粉の脱落を防止できるので、自動機の清掃頻度を抑制できるという効果もある。これらは、保形シートを無機繊維シート２Ｘの片側面にのみ接着する構成で実現できる。
【００４０】
さらに、断熱シート２は、表面を撥水処理することで、吸湿性を少なくすることで表面に結露水が付着する漏電等の弊害を防止できる。また、断熱シート２は、電池セル１の外装ケース１１の稜線１１ｒに沿って折り溝を設けることで、電池セル１の稜線１１ｒに沿って折り曲げて確実に密着できる。さらに、断熱シート２は、複数枚の無機繊維シート２Ｘを積層して厚くすることで、断熱特性をより向上できる特徴もある。複数の無機繊維シート２Ｘは接着剤や粘着剤を介して接着し、あるいは多孔質基材の繊維を部分的に溶融して接着できる。
【００４１】
さらに、断熱シート２は、図４及び図５に示す構造とすることもできる。これらの図に示す断熱シート２は、無機繊維シート２Ｘに開口部２ａを設けている。図４に示す無機繊維シート２Ｘは、正面視において、上下左右に区画された４つの領域に開口部２ａを設けている。この無機繊維シート２Ｘは、四角形状の外周縁部２ｂと中央部を縦横に伸びる連結部２ｃとにより全体をシート状に保形しながら、４つの開口部２ａを設けている。図５に示す無機繊維シート２Ｘは、全体にわたって多数の開口部２ａを設けている。この無機繊維シート２Ｘは、四角形状の外周縁部２ｂと中央部を縦横に格子状に伸びる複数列の連結部２ｃとにより全体をシート状に保形しながら、多数の開口部２ａを縦横に均等に分散させる状態で設けている。ただ、断熱シート２は、無機繊維シート２Ｘに設ける開口部２ａの数、形状、大きさ、配置等を以上には限定せず、種々に変更することができる。
【００４２】
図４と図５の断熱シート２は、開口部２ａを有する無機繊維シート２Ｘの両面に保護シート４を積層して積層シート５とすることで、内部に開口部２ａによる空気層を形成している。以上のように、無機繊維シート２Ｘに開口部２ａを有する断熱シート２は、積層される電池セル１の間に、開口部２ａによる空気層を形成することができ、この空気層によって断熱特性を発揮できる特徴がある。また、無機繊維シート２Ｘに開口部２ａを設けることで、製造コストを低減しながら、軽量にできる特徴がある。とくに、断熱シートは、互いに積層される多数の電池セル１の間に積層されるので、多数の電池セル１を積層してなる電源装置においては、使用される枚数も多くなる。このため、各無機繊維シート２Ｘに開口部２ａを設けることにより、電源装置全体として製造コストや重量を有効に低減できる。
【００４３】
さらに、図６に示す断熱シート２は、無機繊維シート２Ｘを、複数の分割シート２ｘ、２ｙに分割している。図に示す無機繊維シート２Ｘは、図において上下方向に裁断して、両側部の分割シート２ｘと中央部の分割シート２ｙからなる３枚の分割シート２ｘ、２ｙに分割している。図の断熱シート２は、両側の分割シート２ｘが電池セル１の積層面１１Ａの両側部に対向すると共に、中央部の分割シート２ｙが電池セル１の左右の中央に対向する姿勢となるように、互いに離間した状態で両面に保護シート４が積層されて積層シート５が形成されている。この断熱シート２は、複数の分割シート２ｘ、２ｙを離間して配置することで、隣接する分割シート２ｘ、２ｙ同士の間に空気層が形成されており、この空気層によって電池セル１間を断熱できるようにしている。また、使用する無機繊維シート２Ｘを少なくすることで、電源装置全体の製造コストや重量を低減できる特徴もある。さらに、この断熱シート２は、分割シート２ｘ、２ｙ同士の間に形成される空気層により、積層される電池セル１間に、上下に貫通する通気隙間が形成されるので、この通気隙間により、電池セル１間で上下方向に空気を通過させて自然対流で電池セル１を冷却できる特徴もある。
【００４４】
以上の断熱シート２は、以下に示す構造で、積層される電池セル１の積層面１１Ａに挟まれて、隣接する電池セル１を断熱する。図３〜図６に示す断熱シート２は、無機繊維シート２Ｘの両面に保護シート４を積層してなる板状の積層シート５としている。この断熱シート２は、全体の外形を、四角形である電池セル１の積層面１１Ａの外形に略等しい四角形状、あるいは、やや小さい四角形状としている。この形状の断熱シート２は、隣接する電池セル１の間に挟着されて、隣接する電池セル１同士を断熱する。
【００４５】
隣接する電池セル１の間に配置される断熱シート２は、両面接着テープ３を介して電池セル１の積層面１１Ａの定位置に配置される。図３に示す断熱シート２は、２列の両面接着テープ３を介して電池セル１の積層面１１Ａに接着している。図３において、２列の両面接着テープ３は、電池セル１の積層面１１Ａの横幅方向に離して配置している。ただ、２列の両面接着テープ３は、積層面１１Ａの上下方向に離して配置することもできる。このように、断熱シート２を２列の両面接着テープ３を介して接着する構造は、断熱シート２をピンと張った状態で貼着することで、断熱シート２に皺が生じるのを防止しながら電池セル１の積層面１１Ａに密着状態で配置できる。さらに、断熱シート２は３列以上の両面接着テープ３を介して電池セル１の積層面１１Ａに接着することもできる。ただ、断熱シート２は、両面接着テープ３によらず、接着剤や粘着剤を介して接着することもできる。
【００４６】
さらに、図７〜図９は、電池セル１の外装ケース１１の外周面を被覆する断熱シート２の一例を示している。この断熱シート２は、電池セル１の外装ケース１１の天面１１Ｃを除く面を被覆して断熱する。断熱シート２は、好ましくは、積層面１１Ａと側面１１Ｂと底面１１Ｄの全面を被覆する。ただし、断熱シート２は、底面１１Ｄの全面と、積層面１１Ａの全面を被覆し、あるいは、積層面１１Ａ及び側面１１Ｂの全面を被覆する構造とすることもできる。
【００４７】
図７の展開図に示す断熱シート２は、電池セル１の外装ケース１１の稜線１１ｒに沿って折曲されて、外装ケース１１を被覆する。図７において、内折りされる折曲線となる境界線Ｌ１、Ｌ２、Ｌ３、及び折曲線Ｓ１を一点鎖線で、外折りされる折曲線となる境界線Ｌ４を２点鎖線で、切断される切断線Ｃ１を実線でそれぞれ示している。内折りされ、あるいは外折りされる折曲線は、折曲しやすくするために折り溝を設けている。図示しないが、外装ケース１１の稜線１１ｒに沿って折曲される折曲部においては、断面視が三角形状となるように折り溝を設けることで、断熱シート２を折り目において直角に折曲して外観よく被覆することができる。電池セル１の外装ケース１１に沿って折曲された断熱シート２は、ラップ部分を接着することで袋状に成形されて外装ケース１１の表面を被覆する。
【００４８】
図７の展開図に示す断熱シート２は、全体の外形を長方形状とすると共に、交差する複数の境界線Ｌ１、Ｌ２、Ｌ３により複数の領域に区画している。図７に示す断熱シート２は、外装缶１１ｘの積層面１１Ａを被覆する積層面被覆部２１と、外装缶１１ｘの底面１１Ｄを被覆する底面被覆部２２と、外装缶１１ｘの側面１１Ｂを被覆する側面被覆部２３とに区画している。この断熱シート２は、一対の積層面被覆部２１の間に底面被覆部２２を設けて、連続する積層面被覆部２１と底面被覆部２２の両側から側面被覆部２３を突出させる形状としている。側面被覆部２３は、積層面被覆部２１の両側に設けられて、積層面被覆部２１の側縁から外側に突出している第１の側面被覆部２３Ａと、底面被覆部２２の両側に設けられて、底面被覆部２２の側縁から外側に突出している第２の側面被覆部２３Ｂとからなる。
【００４９】
図７の展開図で示すように、第１の側面被覆部２３Ａと第２の側面被覆部２３Ｂは、その境界で切り離されることなく連続している。図の断熱シート２は、第２の側面被覆部２３Ｂ上において、第１の側面被覆部２３Ａと第２の側面被覆部２３Ｂとの境界線Ｌ４と、底面被覆部２２と第２の側面被覆部２３Ｂとの境界線Ｌ２との交点Ｋから斜め方向に延びる折曲線Ｓ１を設けると共に、これらの折曲線Ｓ１の中間部から外側方向に向かって切断線Ｃ１を設けて切り込みを設けている。図に示す断熱シート２は、交点Ｋから延びる折曲線Ｓ１がなす角を約４５度としている。
【００５０】
図７の断熱シート２は、図８に示すように、底面被覆部２２に電池セル１の底面１１Ｄを載せると共に、図９に示すように、底面被覆部２２と積層面被覆部２１との境界線Ｌ１を内折りして、底面被覆部２２で外装缶１１ｘの底面１１Ｄを、積層面被覆部２１で外装缶１１ｘの積層面１１Ａを被覆する。さらに、第１の側面被覆部２３Ａと積層面被覆部２１との境界線Ｌ３を内折りし、また、第１の側面被覆部２３Ａと第２の側面被覆部２３Ｂとの境界線Ｌ４を外折りし、さらにまた、第２の側面被覆部２３Ｂ上において、折曲線Ｓ１を内折りして、一方の第１の側面被覆部２３Ａを外装缶１１ｘの側面１１Ｂ上に折り畳む。同様にして、隣合う第１の側面被覆部２３Ａを外装缶１１ｘの側面１１Ｂ上に折り畳んで、隣合う第１の側面被覆部２３Ａ同士を外装缶１１ｘの側面１１Ｂでラップさせて接着する。さらに、第２の側面被覆部２３Ｂと底面被覆部２２との境界線Ｌ２を内折りし、第２の側面被覆部２３Ｂを折り畳んでできる連結部２４を、ラップされた第１の側面被覆部２３Ａに積層状態で接着して、第１の側面被覆部２３Ａと第２の側面被覆部２３Ｂとで、外装缶１１ｘの側面１１Ｂの全面を被覆する。
【００５１】
以上のようにして外装ケース１１の天面１１Ｃを除く外周面を、断熱シート２の積層面被覆部２１、底面被覆部２２、及び側面被覆部２３で被覆する。積層面被覆部２１、底面被覆部２２、及び側面被覆部２３は、両面接着テープを介して、あるいは接着剤や粘着剤を介して電池セルの外装ケースの表面に接着する。断熱シート２は、積層面被覆部２１、底面被覆部２２、及び側面被覆部２３の全てを電池セル１の外装ケース１１に接着することもできるが、外装ケース１１を被覆する断熱シート２が外れない範囲内で、部分的に接着してもよい。
【００５２】
以上の電源装置は、電動車両を走行させるモータに電力を供給する車両用の電源装置に最適である。電源装置を搭載する電動車両としては、エンジンとモータの両方で走行するハイブリッド自動車やプラグインハイブリッド自動車、あるいはモータのみで走行する電気自動車等の電動車両が利用でき、これらの電動車両の電源として使用される。
【００５３】
（ハイブリッド車用電源装置）
図１０に、エンジンとモータの両方で走行するハイブリッド車に電源装置を搭載する例を示す。この図に示す電源装置を搭載した車両ＨＶは、車両本体９０と、車両本体９０を走行させるエンジン９６及び走行用のモータ９３と、モータ９３に電力を供給する電源装置１００と、電源装置１００の電池を充電する発電機９４と、モータ９３とエンジン９６で駆動されて車両本体９０を走行させる車輪９７とを備えている。電源装置１００は、ＤＣ／ＡＣインバータ９５を介してモータ９３と発電機９４に接続している。車両ＨＶは、電源装置１００の電池を充放電しながらモータ９３とエンジン９６の両方で走行する。モータ９３は、エンジン効率の悪い領域、例えば加速時や低速走行時に駆動されて車両を走行させる。モータ９３は、電源装置１００から電力が供給されて駆動する。発電機９４は、エンジン９６で駆動され、あるいは車両にブレーキをかけるときの回生制動で駆動されて、電源装置１００の電池を充電する。
【００５４】
（電気自動車用電源装置）
また、図１１に、モータのみで走行する電気自動車に電源装置を搭載する例を示す。この図に示す電源装置を搭載した車両ＥＶは、車両本体９０と、車両本体９０を走行させる走行用のモータ９３と、このモータ９３に電力を供給する電源装置１００と、この電源装置１００の電池を充電する発電機９４、モータ９３で駆動されて車両本体９０を走行させる車輪９７とを備えている。モータ９３は、電源装置１００から電力が供給されて駆動する。発電機９４は、車両ＥＶを回生制動する時のエネルギーで駆動されて、電源装置１００の電池を充電する。
【００５５】
（蓄電用電源装置）
さらに、本発明は電源装置の用途を電動車両に搭載する電源装置には特定せず、たとえば、太陽光発電、風力発電などの自然エネルギーを蓄電する蓄電装置用の電源装置として使用でき、また深夜電力を蓄電する蓄電装置用の電源装置のように、大電力を蓄電する全ての用途に使用できる。例えば家庭用、工場用の電源として、太陽光や深夜電力等で充電し、必要時に放電する電源システム、あるいは日中の太陽光を充電して夜間に放電する街路灯用の電源や、停電時に駆動する信号機用のバックアップ電源等にも利用できる。このような例を図１２に示す。なお、図１２に示す蓄電装置としての使用例では、所望の電力を得るために、上述した電源装置を直列や並列に多数接続して、さらに必要な制御回路を付加した大容量、高出力の蓄電装置８０を構築した例として説明する。
【００５６】
図１２に示す蓄電装置８０は、複数の電源装置１００をユニット状に接続して電源ユニット８２を構成している。各電源装置１００は、複数の電池セルが直列及び／又は並列に接続されている。各電源装置１００は、電源コントローラ８４により制御される。この蓄電装置８０は、電源ユニット８２を充電用電源ＣＰで充電した後、負荷ＬＤを駆動する。このため蓄電装置８０は、充電モードと放電モードを備える。負荷ＬＤと充電用電源ＣＰはそれぞれ、放電スイッチＤＳ及び充電スイッチＣＳを介して蓄電装置８０と接続されている。放電スイッチＤＳ及び充電スイッチＣＳのＯＮ／ＯＦＦは、蓄電装置８０の電源コントローラ８４によって切り替えられる。充電モードにおいては、電源コントローラ８４は充電スイッチＣＳをＯＮに、放電スイッチＤＳをＯＦＦに切り替えて、充電用電源ＣＰから蓄電装置８０への充電を許可する。また充電が完了し満充電になると、あるいは所定値以上の容量が充電された状態で負荷ＬＤからの要求に応じて、電源コントローラ８４は充電スイッチＣＳをＯＦＦに、放電スイッチＤＳをＯＮにして放電モードに切り替え、蓄電装置８０から負荷ＬＤへの放電を許可する。また、必要に応じて、充電スイッチＣＳをＯＮに、放電スイッチＤＳをＯＮにして、負荷ＬＤの電力供給と、蓄電装置８０への充電を同時に行うこともできる。
【００５７】
蓄電装置８０で駆動される負荷ＬＤは、放電スイッチＤＳを介して蓄電装置８０と接続されている。蓄電装置８０の放電モードにおいては、電源コントローラ８４が放電スイッチＤＳをＯＮに切り替えて、負荷ＬＤに接続し、蓄電装置８０からの電力で負荷ＬＤを駆動する。放電スイッチＤＳはＦＥＴ等のスイッチング素子が利用できる。放電スイッチＤＳのＯＮ／ＯＦＦは、蓄電装置８０の電源コントローラ８４によって制御される。また電源コントローラ８４は、外部機器と通信するための通信インターフェースを備えている。図１２の例では、ＵＡＲＴやＲＳ−２３２Ｃ等の既存の通信プロトコルに従い、ホスト機器ＨＴと接続されている。また必要に応じて、電源システムに対してユーザが操作を行うためのユーザインターフェースを設けることもできる。
【００５８】
各電源装置１００は、信号端子と電源端子を備える。信号端子は、入出力端子ＤＩと、異常出力端子ＤＡと、接続端子ＤＯとを含む。入出力端子ＤＩは、他の電源装置１００や電源コントローラ８４からの信号を入出力するための端子であり、接続端子ＤＯは他の電源装置１００に対して信号を入出力するための端子である。また異常出力端子ＤＡは、電源装置１００の異常を外部に出力するための端子である。さらに電源端子は、電源装置１００同士を直列、並列に接続するための端子である。また電源ユニット８２は、並列接続スイッチ８５を介して出力ラインＯＬに接続されて互いに並列に接続されている。
【実施例１】
【００５９】
以上の電源装置に使用する断熱シート２は、以下のようにして製作される。
８０重量％のケイ酸マグネシウム（セピオライト）に、１０重量％のガラス繊維と、１０重量％のナイロン繊維を懸濁し、分散して抄紙用スラリーとし、これを湿式抄紙してシート状とし、これを乾燥した後熱プレスして厚さを０．７ｍｍ、重量を５ｇとする無機繊維シート２Ｘを製造し、得られた無機繊維シート２Ｘの両面に、厚さ５０μｍのポリエチレンフィルムを接着して断熱シート２を製作する。【００６０】
以上の断熱シート２を電池セル１の積層面１１Ａの外形に裁断し、隣接する電池セル１の積層面１１Ａに挟んで電池ブロック１０とする電源装置を試作し、ひとつの電池セル１を強制的に熱暴走させて、隣の電池セル１が熱暴走するかどうかを試験すると、以上の断熱シート２を積層面１１Ａに挟んだ電池ブロック１０は、熱暴走した隣の電池セルの熱暴走が阻止された。
ただし、電池セル１には、積層面１１Ａの外形を９．０ｃｍ×１５．０ｃｍ、厚さを２．６ｃｍとする角形電池セルを使用した。
【実施例２】
【００６１】
両面にプラスチックシートを積層しない以外、実施例１の方法で断熱シートを製作した。この断熱シート２も、実施例１と同様の試験方法において、熱暴走した隣の電池セルの熱暴走を阻止できた。
【比較例】
【００６２】
厚さを１ｍｍとするポリエチレン製の断熱シートを使用する電池ブロックは、特定の電池セルを熱暴走させる状態で、隣の電池セルが熱暴走した。
【産業上の利用可能性】
【００６３】
本発明に係る電源装置は、ＥＶ走行モードとＨＥＶ走行モードとを切り替え可能なプラグイン式ハイブリッド電気自動車やハイブリッド式電気自動車、電気自動車等の電源装置として好適に利用できる。またコンピュータサーバのラックに搭載可能なバックアップ電源、携帯電話等の無線基地局用のバックアップ電源、家庭内用、工場用の蓄電用電源、街路灯の電源等、太陽電池と組み合わせた蓄電装置、信号機等のバックアップ電源用等の用途にも適宜利用できる。
【符号の説明】
【００６４】
１００…電源装置、１…電池セル、２…断熱シート、２Ｘ…無機繊維シート、２ａ…開口部、２ｂ…外周縁部、２ｃ…連結部、２ｘ、２ｙ…分割シート、３…両面接着テープ、４…保護シート、５…積層シート、６…固定部材、７…エンドプレート、８…バインドバー、９…電池積層体、１０…電池ブロック、１１…外装ケース、１１Ａ…積層面、１１Ｂ…側面、１１Ｃ…天面、１１Ｄ…底面、１１ａ…封口板、１１ｂ…電極端子、１１ｃ…安全弁、１１ｒ…稜線、１１ｘ…外装缶、２１…積層面被覆部、２２…底面被覆部、２３…側面被覆部、２３Ａ…第１の側面被覆部、２３Ｂ…第２の側面被覆部、２４…連結部、８０…蓄電装置、８２…電源ユニット、８４…電源コントローラ、８５…並列接続スイッチ、９０…車両本体、９３…モータ、９４…発電機、９５…ＤＣ／ＡＣインバータ、９６…エンジン、９７…車輪、ＨＶ…車両、ＥＶ…車両、ＬＤ…負荷、ＣＰ…充電用電源、ＤＳ…放電スイッチ、ＣＳ…充電スイッチ、ＯＬ…出力ライン、ＨＴ…ホスト機器、ＤＩ…入出力端子、ＤＡ…異常出力端子、ＤＯ…接続端子、Ｌ１…境界線、Ｌ２…境界線、Ｌ３…境界線、Ｌ４…境界線、Ｓ１…折曲線、Ｃ１…切断線、Ｋ…交点
【図１】
2019187313.tif 000003
【図２】
2019187313.tif 000004
【図３】
2019187313.tif 000005
【図４】
2019187313.tif 000006
【図５】
2019187313.tif 000007
【図６】
2019187313.tif 000008
【図７】
2019187313.tif 000009
【図８】
2019187313.tif 000010
【図９】
2019187313.tif 000011
【図１０】
2019187313.tif 000012
【図１１】
2019187313.tif 000013
【図１２】
2019187313.tif 000014
【国際調査報告】
2019187313.tif 000015
2019187313.tif 000016
2019187313.tif 000017
2019187313.tif 000018